(57)【要約】【課題】目標とするツボを正確に押圧刺激する。耐久性を高める。【解決手段】人体に接触するローラ２１と、ローラ２１を回転可能に支持する支持軸２２と、支持軸２２を移動させる移動手段３とを備えている。支持軸２２は、複数本が軸線を平行にして放射状に配置され両端部が共通の側板２３に固定されてドラム形のコア２を形成している。移動手段３は、コア２の中心軸を中心にして支持軸２２を公転移動させるものである。【選択図】        図１
2004283350.tif 000002
【特許請求の範囲】
【請求項１】
人体に接触するローラと、ローラを回転可能に支持する支持軸と、支持軸を移動させる移動手段とを備えたマッサージ装置において、支持軸は複数本が軸線を平行にして放射状に配置され両端部が共通の側板に固定されてドラム形のコアを形成し、移動手段はコアの中心軸を中心にして支持軸を公転移動させるものであることを特徴とするマッサージ装置。
【請求項２】
請求項１のマッサージ装置において、ローラは軸方向の中心部の径よりも軸方向の端部側の径が小さい形状に形成されていることを特徴とするマッサージ装置。
【請求項３】
請求項１または２のマッサージ装置において、ローラは複数個が規則的に径が異なる配列で支持軸に支持されていることを特徴とするマッサージ装置。
【請求項４】
請求項１〜３のいずれかのマッサージ装置において、移動手段の駆動部はコアの内部に収容されていることを特徴とするマッサージ装置。
【発明の詳細な説明】
【０００１】
【発明の属する技術分野】本発明は、人体のツボを押圧刺激するマッサージ装置に係る技術分野に属する。
【０００２】
【従来の技術】マッサージ装置としては、押圧刺激タイプ，揉み刺激タイプ，叩き刺激等タイプ等の各種多様な構造のものがある。これ等のタイプの中では、押圧刺激タイプがツボの刺激として最も有効とされている。
【０００３】
従来、押圧刺激タイプのマッサージ装置としては、例えば、以下に記載のものが知られている。
【特許文献１】特開２０００−２４５７９７号公報。
特許文献１には、人体に接触するローラと、ローラを回転可能に支持する支持軸と、支持軸を移動させる移動手段とを備えたマッサージ装置が記載されている。
【０００４】
特許文献１に係るマッサージ装置は、支持軸が軸線を平行にして鎖片形の連結部材でエンドレス状に連結され移動手段によって足裏の凹凸形状に沿ったレールの上を湾曲しながら平行移動するように構成され、載せられた足裏のほぼ全面にローラを接触させることでマッサージを行うものである。
【０００５】
【発明が解決しようとする課題】特許文献１に係るマッサージ装置では、足裏のほぼ全面にローラを接触させることで、結果的にいずれかのツボをローラで押圧刺激するというもので、目標とするツボを正確に押圧刺激するのが困難であるという問題点がある。また、支持軸が鎖片形の連結部材で連結されているため、支持軸の組付け剛性が弱いため、耐久性が低いという問題点がある。
【０００６】
本発明は、このような問題点を考慮してなされたもので、目標とするツボを正確に押圧刺激することができて耐久性の高いマッサージ装置を提供することを課題とする。
【０００７】
【課題を解決するための手段】前述の課題を解決するため、本発明に係るマッサージ装置は、次のような手段を採用する。
【０００８】
即ち、請求項１では、人体に接触するローラと、ローラを回転可能に支持する支持軸と、支持軸を移動させる移動手段とを備えたマッサージ装置において、支持軸は複数本が軸線を平行にして放射状に配置され両端部が共通の側板に固定されてドラム形のコアを形成し、移動手段はコアの中心軸を中心にして支持軸を公転移動させるものであることを特徴とする。
【０００９】
この手段では、放射状に配置された支持軸の公転移動でローラの移動軌跡を円とすることで、円周上のいずれかの点，線に狙いを定めて目標とするツボを正確に押付けることができる。また、支持軸が共通の側板に固定されてドラム形のコアに形成されるため、支持軸の組付け剛性が強化される。
【００１０】
また、請求項２では、請求項１のマッサージ装置において、ローラは軸方向の中心部の径よりも軸方向の端部側の径が小さい形状に形成されていることを特徴とする。
【００１１】
この手段では、ローラの形状として算盤球形状が選択される。
【００１２】
また、請求項３では、請求項１または２のマッサージ装置において、ローラは複数個が規則的に径が異なる配列で支持軸に支持されていることを特徴とする。
【００１３】
この手段では、複数個のローラの径が必ずしも同一とならなくなる。
【００１４】
また、請求項４では、請求項１〜３のいずれかのマッサージ装置において、移動手段の駆動部はコアの内部に収容されていることを特徴とする。
【００１５】
この手段では、ドラム形のコアの中空構造に移動手段の駆動部が収容される。
【００１６】
【発明の実施の形態】以下、本発明に係るマッサージ装置の実施の形態を図面に基づいて説明する。
【００１７】
図１〜図３は、本発明に係るマッサージ装置の実施の形態  （１）を示すものである。
【００１８】
この実施の形態では、横軸型で手指のマッサージに好適な比較的小型のものを示してある。
【００１９】
この実施の形態は、図１に示すように、基台１，コア２，移動手段３で構成されている。
【００２０】
基台１は、床面，卓上等に載せることのできる平板な底枠１１と、底枠１１の両端部から起立された側枠１２とからなる。
【００２１】
コア２は、ローラ２１，支持軸２２，側板２３，回転軸２４でドラム形に形成されている。ローラ２１は、木材，セラミックス材，金属材，合成樹脂材等の肌接触性の良好な材質で軸方向の中心部の径２１ａよりも軸方向の端部側の径２１ｂが小さい算盤球形状に形成されている。支持軸２２は、直状の丸棒２２ａに一定間隔でローラ２１を軸方向へのスライドを阻止して回転可能に支持する相対的に小径の支持溝２２ｂが設けられている。なお、支持軸２２の支持溝２２ｂの間隔ａは、少なくとも揃えた指Ｆの間隔に設定するのが好ましい（図１参照）。側板２３は、円板形に形成された１対からなるもので、軸線を平行にして放射状に配置された６本の支持軸２２の両端部が固定されている。回転軸２４は、側板２３を貫通した直状の丸棒からなるもので、コア２の軸中心に位置して基台１の側枠１２に回転可能に支持されている。
【００２２】
移動手段３は、基台１の側枠１２に取付けられコア２の中心軸である回転軸２４に連結されたモータ等（図示せず）からなる。なお、回転軸２４の回転方向については、正逆の切換が可能になっている。
【００２３】
この実施の形態によると、図２に示すように、支持軸２２が軸線を平行にして放射状に配置され両端部が共通の側板２３に固定されてドラム形のコア２を形成しているため、支持軸２３の組付け剛性が強化される。従って、耐久性が高くなって、長期の使用や乱暴な使用にも耐えることができる。
【００２４】
また、使用の際には、図３に示すように、移動手段３で回転されたコア２のローラ２１が支持軸２２とともに回転軸２を中心軸とする公転移動となって、ローラ２１の移動軌跡ｂが円となるため、円周上のいずれかの点，線に狙いを定めて目標とする指Ｆのツボを正確に押付けることができる。従って、目標とするツボを正確に押圧刺激することが可能となる。
【００２５】
指Ｆに押付けられたローラ２１は、算盤球形状であることから、中心部の径２１ａでツボを集中的に押圧刺激することができる。また、移動手段３の切換によってコア２の回転方向が変更されるため、押圧刺激の向きが変更される。従って、マッサージ効果が高くなる。なお、ローラ２１の小さな径の端部側の径２１ｂが指Ｆとの必要以上の接触摩擦を回避するとともに、指Ｆとの接触摩擦が大きくなる支持軸２２を中心としてローラ２１が回転する。従って、使用によって指Ｆを傷付けるおそれはない。
【００２６】
なお、指Ｆのみならず、掌等も押付けてマッサージすることができる。
【００２７】
図４は、本発明に係るマッサージ装置の実施の形態  （２）を示すものである。
【００２８】
この実施の形態では、ローラ２１が支持軸２２の中心から端部方向へ向かって順次径が大きくなる配列としてある。
【００２９】
この実施の形態によると、掌の全体を反らせて押付ける使用に好適となる。この姿勢の調整は、より有効なツボの押圧刺激を可能にする。
【００３０】
図５は、本発明に係るマッサージ装置の実施の形態  （３）を示すものである。
【００３１】
この実施の形態では、ローラ２１が支持軸２２の中心から端部方向へ向かって順次径が小さくなる配列としてある。
【００３２】
この実施の形態によると、掌の全体を窪めて押付ける使用に好適となる。この姿勢の調整は、より有効なツボの押圧刺激を可能にする。
【００３３】
図６，図７は、本発明に係るマッサージ装置の実施の形態  （４）を示すものである。
【００３４】
この実施の形態では、中空構造となったコア２の内部に移動手段３のモータ等からなる駆動部３１を収容している。
【００３５】
移動手段３の駆動部３１は、基台１の一方の側枠１２に固定されコア２の一方の側板２３を貫通した中空の固定軸４に支持されている。固定軸４の内部には、駆動部３１に接続されたコード３２が配線されている。コア２の一方の側板２３は、ベアリング２３ａを介して固定軸４に回転可能に支持された格好になっている。
【００３６】
移動手段３の駆動部３１の回転軸（モータ軸）３３は、基台１の他方の側枠１２に固定された円柱形の固定軸５の中心に回転可能に支持され、駆動ギア３４が固定されている。駆動ギア３４は、図８に示すように、他方の側板２３の内側面に刻設された内ギア２３ｂに他方の側板２３に支持された中継ギア３５を介して噛合している。コア２の他方の側板２３は、固定軸５の外周に回転可能に支持されている。
【００３７】
この実施の形態によると、外装構造が簡素化されて全体がコンパクト化される。
【００３８】
以上、図示した実施の形態の外に、コア２を２台隣接させて両手を同時にマッサージできるように構成することも可能である。また、縦軸型としたり、大型に構成して足等のマッサージに使用することも可能である。
【００３９】
さらに、径の大きなローラ２１と径の小さなローラ２１と交互に配列する構成とすることも可能である。
【００４０】
【発明の効果】以上のように、本発明に係るマッサージ装置は、放射状に配置された支持軸の公転移動でローラの移動軌跡を円とすることで、円周上のいずれかの点，線に狙いを定めて目標とするツボを正確に押付けることができるため、目標とするツボを正確に押圧刺激することが可能になる効果がある。
【００４１】
また、支持軸が共通の側板に固定されてドラム形のコアに形成され、支持軸の組付け剛性が強化されるため、耐久性が高くなる効果がある。
【００４２】
さらに、請求項２として、ローラの形状として算盤球形状が選択されるため、ツボを集中的に押圧刺激することができる効果がある。
【００４３】
さらに、請求項３として、複数個のローラの径が必ずしも同一とならなくなるため、人体のローラへの押付け姿勢を調整してより有効にツボを押圧刺激することができる効果がある。
【００４４】
さらに、請求項４として、ドラム形のコアの中空構造に移動手段の駆動部が収容されるため、外装構造が簡素化されて全体がコンパクト化される効果がある。
【図面の簡単な説明】
【図１】本発明に係るマッサージ装置の実施の形態  （１）を示す一部切断の正面図である。
【図２】図１の要部の拡大斜視図である。
【図３】図２の縦断面図である。
【図４】本発明に係るマッサージ装置の実施の形態  （２）を示す要部の正面図である。
【図５】本発明に係るマッサージ装置の実施の形態  （３）を示す要部の正面図である。
【図６】本発明に係るマッサージ装置の実施の形態  （４）を示す一部切断の正面図である。
【図７】図６の要部の簡略化した機構図である。
【符号の説明】
１            基台
２            コア
２１          ローラ
２２          支持軸
２３          側板
３            移動手段
３１          駆動部
【図１】
2004283350.tif 000003
【図２】
2004283350.tif 000004
【図３】
2004283350.tif 000005
【図４】
2004283350.tif 000006
【図５】
2004283350.tif 000007
【図６】
2004283350.tif 000008
【図７】
2004283350.tif 000009